(57)【要約】【課題】高温熱源機及び低温熱源機と接続され、温度の異なる熱媒体が循環供給される浴室暖房機において、低温熱源機から循環供給されているときの暖房運転開始初期における使用者の違和感や冷風感を抑える。【解決手段】低温熱源機から循環供給されている状態で熱媒体の温度が所定の始動温度以上になると、循環ファン９４を始動回転数で回転させ、循環ファン９４を始動回転数で回転させたときに、熱媒体の温度が始動温度未満になっても所定の制限温度以上であると、循環ファン９４を始動回転数よりも低い制限回転数で回転させる。【選択図】図１
2019128046.tif 000002
【特許請求の範囲】
【請求項１】
高温熱源機及び低温熱源機と接続され、温度の異なる熱媒体が循環供給される浴室暖房機であって、
循環供給される熱媒体と浴室内の空気とを熱交換する熱交換器と、
浴室内の空気を熱交換器に送り、熱交換器で加熱された空気を浴室内へ戻す循環ファンと、
浴室内の空気の温度を検出する浴室温度検出手段と、
循環供給される熱媒体の温度を検出する熱媒体温度検出手段と、
暖房制御手段と、を備え、
暖房制御手段は、低温熱源機から循環供給されているときに、熱媒体の温度が所定の始動温度以上になると、循環ファンを所定の始動回転数で回転させ、
循環ファンを始動回転数で回転させたときに、熱媒体の温度が始動温度未満になっても所定の制限温度以上であれば、循環ファンを始動回転数よりも低い所定の制限回転数で回転させる冷風防止制御部を有する浴室暖房機。
【請求項２】
請求項１に記載の浴室暖房機において、
冷風防止制御部は、浴室内の空気の温度が所定の制限解除温度以上になった後、熱媒体の温度が始動温度未満になると、制限温度以上であっても、循環ファンを停止させる浴室暖房機。
【請求項３】
請求項１または２に記載の浴室暖房機において、
冷風防止制御部は、循環ファンを制限回転数で回転させたときに、熱媒体の温度が制限温度未満になると、循環ファンを停止させる浴室暖房機。
【発明の詳細な説明】
【技術分野】
【０００１】
本発明は、高温熱源機及び低温熱源機と接続され、温度の異なる熱媒体が循環供給される浴室暖房機に関する。
【背景技術】
【０００２】
従来、ガス熱源機を有する熱媒体を加熱する加熱ユニットと接続され、加熱ユニットから熱媒体を循環供給させることによって浴室を暖房する浴室暖房機が知られている。この種の浴室暖房機は、加熱ユニットから循環供給される熱媒体と浴室内の空気とを熱交換する熱交換器、及び浴室内の空気を循環させる循環ファンを備える。ガス熱源機は熱媒体を高温に加熱可能な高い加熱能力を有する一方、エネルギー消費量が大きいという問題がある。
【０００３】
高温熱源機であるガス熱源機とともに、ヒートポンプなどの熱媒体を低温に加熱可能な加熱能力の低い低温熱源機を併用し、浴室暖房機にいずれか一方の熱源機で加熱された熱媒体を選択的に循環供給させることも提案されている（例えば、特許文献１）。このような加熱能力の異なる熱源機に接続された浴室暖房機であれば、使用状況に応じて熱媒体を加熱する熱源機を切り替えることができる。従って、エネルギー消費量を抑えながら、浴室を暖房することができる。
【先行技術文献】
【特許文献】
【０００４】
【特許文献１】特開２０１７−１８０９８７号公報
【発明の概要】
【発明が解決しようとする課題】
【０００５】
ところで、暖房運転開始初期において浴室内の温度を早期に上昇させるためには、循環ファンの回転数を高く設定し、浴室内を循環させる空気の風量を多くすることが好ましい一方、浴室内から浴室暖房機へ送られてくる低温の空気によって熱交換器の温度が短時間で低下する。ガス熱源機などの高温熱源機であれば、熱交換器での熱交換により熱媒体の温度が大きく低下しても、高温熱源機での再加熱で熱媒体の温度を十分に上昇させることができるが、ヒートポンプなどの低温熱源機は加熱能力が低く、熱媒体の温度が上昇し難いため、浴室内にいる使用者の冷風感が大きい。
【０００６】
上記観点から、暖房運転開始初期において、熱媒体の温度が始動温度以上になると循環ファンを高回転数の始動回転数で回転させ、熱媒体の温度が始動温度未満になると、浴室暖房機への熱媒体の循環供給を継続させた状態で熱媒体の温度が始動温度以上になるまで循環ファンを停止させる循環ファンのオンオフ制御が行われている。
【０００７】
しかしながら、浴室内の空気の温度が低いときに循環ファンを始動回転数で回転させて熱交換器で熱媒体の温度が大きく低下すると、低温熱源機では熱媒体が十分に再加熱されないため、浴室暖房機に循環供給される熱媒体の温度が低くなってしまう。その結果、浴室暖房機に低温熱源機で加熱した熱媒体が循環供給されている場合、一旦、熱媒体の温度が始動温度以上に上昇して循環ファンを回転させた後、熱媒体の温度が始動温度未満になると、熱媒体の温度が始動温度まで再度、上昇するのに長時間を必要とする。それゆえ、循環ファンが一時的に作動して、ある程度の温風が浴室内に送風された後、循環ファンが停止している時間が長くなるため、使用者が浴室内にいる場合、浴室暖房機の故障と誤認する虞がある。
【０００８】
また、低温の空気は浴室内の下方に滞留する。そのため、上記のように熱媒体の温度の低下により循環ファンが長時間、停止していた後、熱媒体の温度が始動温度まで再度、上昇して、循環ファンを高回転数の始動回転数で回転させると、浴室内を循環する空気の風量が急に増加するため、浴室内の下方にいる使用者の冷風感が大きくなるという問題もある。
【０００９】
本発明は上記課題を解決するものであり、本発明の目的は、高温熱源機及び低温熱源機と接続され、温度の異なる熱媒体が循環供給される浴室暖房機において、低温熱源機から循環供給されているときの暖房運転開始初期における使用者の違和感や冷風感を抑えることにある。
【課題を解決するための手段】
【００１０】
本発明によれば、
高温熱源機及び低温熱源機と接続され、温度の異なる熱媒体が循環供給される浴室暖房機であって、
循環供給される熱媒体と浴室内の空気とを熱交換する熱交換器と、
浴室内の空気を熱交換器に送り、熱交換器で加熱された空気を浴室内へ戻す循環ファンと、
浴室内の空気の温度を検出する浴室温度検出手段と、
循環供給される熱媒体の温度を検出する熱媒体温度検出手段と、
暖房制御手段と、を備え、
暖房制御手段は、低温熱源機から循環供給されているときに、熱媒体の温度が所定の始動温度以上になると、循環ファンを所定の始動回転数で回転させ、
循環ファンを始動回転数で回転させたときに、熱媒体の温度が始動温度未満になっても所定の制限温度以上であると、循環ファンを始動回転数よりも低い所定の制限回転数で回転させる冷風防止制御部を有する浴室暖房機が提供される。
【００１１】
上記浴室暖房機によれば、暖房運転開始初期に低温熱源機から循環供給されている場合、熱媒体の温度が始動温度以上になると、循環ファンを始動回転数で回転させるが、始動回転数での循環ファンの回転によって熱媒体の温度が始動温度未満になっても、制限温度以上であれば、直ちに循環ファンを停止させることなく、循環ファンを始動回転数より低い制限回転数に低下させるから、循環ファンの回転によって循環される浴室内の空気を熱交換器である程度、加熱することができる。従って、熱媒体の温度が始動温度以上である場合よりも加熱される空気の温度は低下するが、一定の温度に加熱された空気を浴室内に継続して循環させることができる。これにより、浴室内の温度が低いときに、循環ファンを停止させる場合と比べて使用者の違和感や冷風感を抑えることができる。
【００１２】
また、上記浴室暖房機によれば、熱媒体の温度が始動温度未満になっても始動回転数よりも低い制限回転数で循環ファンを回転させるから、浴室内の空気を一定の風量で循環させることができる。従って、循環ファンを停止させる場合に比べて、浴室内の下方に低温の空気が滞留し難い。また、上記浴室暖房機によれば、熱媒体の温度が始動温度以上に上昇すると制限回転数から始動回転数へ循環ファンの回転数を増加させるから、循環ファンを停止させた状態から始動回転数に循環ファンの回転数を増加させる場合よりも風量の変化が少ない。これにより、循環ファンの回転数を始動回転数に変更するときの使用者の冷風感も抑えることができる。
【００１３】
また、上記浴室暖房機によれば、熱媒体の温度が始動温度未満になっても始動回転数よりも低い制限回転数で循環ファンを回転させるから、循環ファンを高回転数の始動回転数で回転させている場合よりも、熱媒体の温度の低下が少ない。従って、低温熱源機から熱媒体が循環供給されている場合でも、浴室暖房機と接続されている低温熱源機で熱媒体を効率的に再加熱することができる。
【００１４】
好ましくは、上記浴室暖房機において、
冷風防止制御部は、浴室内の空気の温度が所定の制限解除温度以上になった後、熱媒体の温度が始動温度未満になると、制限温度以上であっても、循環ファンを停止させる。
【００１５】
例えば、浴室暖房機以外の熱媒体利用端末が低温熱源機に接続されている場合、低温熱源機で熱媒体が十分に再加熱されず、熱媒体の温度が始動温度未満となるときがある。
しかしながら、浴室内の温度が上昇していれば、上記した冷風防止制御の実行中に熱媒体の温度が始動温度未満になって、循環ファンを停止させた後、再度、始動温度以上になったときに循環ファンを始動回転数で回転させても、使用者の冷風感が少ない。また、浴室内の温度が上昇して熱媒体の温度が始動温度未満になったときに循環ファンを停止させれば、浴室内の空気の循環は行われず、熱交換器での熱媒体と浴室内の空気との間の熱交換は殆ど行われないから熱媒体の温度の低下が少ない。従って、より早期に熱媒体を再加熱することができる。
【００１６】
好ましくは、上記浴室暖房機において、
冷風防止制御部は、循環ファンを制限回転数で回転させたときに、熱媒体の温度が制限温度未満になると、循環ファンを停止させる。
【００１７】
浴室内の温度が非常に低下していると、循環ファンを制限回転数で回転させても、熱媒体の温度が制限温度未満になる場合がある。このような場合、熱交換器での熱交換によって熱媒体の温度が顕著に低下し、低温熱源機で熱媒体を十分に再加熱できないから、冷風感が大きくなる。従って、熱媒体の温度が制限温度以上になるまで循環ファンを停止させることにより、冷風感を抑えながら、早期に熱媒体の温度を上昇させることができる。
【発明の効果】
【００１８】
以上のように、本発明によれば、高温熱源機及び低温熱源機と接続され、温度の異なる熱媒体が循環供給される浴室暖房機において、低温熱源機から循環供給されているときの暖房運転開始初期に、熱媒体の温度が始動温度未満になっても、制限温度以上であれば、循環ファンを始動回転数よりも低い制限回転数で回転させるから、浴室内の空気を加熱しながら循環させることができる。これにより、一旦、循環ファンが作動した後、熱媒体の温度が始動温度未満になっても、循環ファンが長時間、停止されないから、使用者の違和感が生じ難い。また、循環ファンを始動回転数で回転させた後、熱媒体の温度が始動温度未満になると、循環ファンの回転数を始動回転数よりも低い制限回転数に制限するから、暖房運転開始初期における浴室内の低温の空気による冷風感を抑えることができる。また、熱媒体の温度が始動温度未満になっても始動回転数よりも低い制限回転数で回転させるから、熱媒体の温度が始動温度未満になった後、再度、始動温度以上になって循環ファンを始動回転数で回転させたときの冷風感も防止できる。従って、本発明によれば、快適な暖房運転が可能な浴室暖房機を提供することができる。
【図面の簡単な説明】
【００１９】
【図１】図１は、本発明の実施の形態に係る浴室暖房機を有する暖房システムの一部を示す概略構成図である。
【図２】図２は、本発明の実施の形態に係る浴室暖房機における制御動作の一例を示すフローチャートである。
【発明を実施するための形態】
【００２０】
以下、図面を参照しながら本発明の実施の形態に係る浴室暖房機について説明する。図１は、本実施の形態の浴室暖房機１を有する暖房システムの一例を示す概略構成図である。図１に示すように、浴室暖房機１は、熱媒体循環流路の一部を構成する往き管４１及び戻り管４２を介して給湯暖房ユニット２と接続されており、給湯暖房ユニット２から熱媒体である水が循環供給される。なお、熱媒体は、水に限定されず、異なる熱媒体が使用されてもよい。
【００２１】
給湯暖房ユニット２は、水を高温（例えば、８０℃）に加熱して浴室暖房機１に高温の水を循環供給させるガス熱源機ユニット２０１と、水を低温（例えば、６０℃）に加熱して浴室暖房機１に低温の水を循環させるヒートポンプユニット２０２と、貯湯タンクユニットとを備える。なお、給湯暖房ユニット２は、浴室暖房機１以外の熱媒体利用端末である図示しない床暖房装置にも水を循環供給させる。
【００２２】
図示しないが、ガス熱源機ユニット２０１は、従来公知のバーナ及び熱交換器を有するガス熱源機を備え、バーナを燃焼させることによって発生する燃焼排気との熱交換により浴室暖房機１に循環供給させる水を加熱する。ヒートポンプユニット２０２は、従来公知の圧縮機、流体熱交換器、膨張弁、空気熱交換器、回転ファン、及び防霜弁を有するヒートポンプと、冷媒を循環させる冷媒循環流路とを備え、圧縮機から供給される高温・高圧の冷媒との熱交換により浴室暖房機１に循環供給させる水を加熱する。貯湯タンクユニット２０３は、従来公知の貯湯タンクを備え、貯湯タンク内の水をガス熱源機ユニット２０１及びヒートポンプユニット２０２との間で循環させることにより加熱する。
【００２３】
図１に示すように、往き管４１は、上述した給湯暖房ユニット２によって加熱された水を浴室暖房機１に送る。戻り管４２は、浴室暖房機１で熱交換された水を給湯暖房ユニット２に戻す。
【００２４】
浴室暖房機１は、浴室５内の暖房を行う暖房運転モードや乾燥を行う乾燥運転モードで動作可能である。浴室暖房機１は、熱媒体循環流路の一部を構成する入水管４４と出水管４５とを備える。また、浴室暖房機１は、気液熱交換器９１と、循環ファン９４と、湯温サーミスタ９２と、換気ファン９８と、浴室温サーミスタ９９とを備える。
【００２５】
入水管４４の一端には、往き管４１が接続されている。往き管４１によって浴室暖房機１に送られた水が入水管４４に流入する。出水管４５の一端には、戻り管４２が接続されている。出水管４５を流れた水は、戻り管４２に流出する。出水管４５には、流量制御弁９３が設けられている。流量制御弁９３は、入水管４４及び出水管４５を流れる水の流量を制御する。
【００２６】
入水管４４の他端及び出水管４５の他端はそれぞれ、気液熱交換器９１に接続されている。入水管４４は、往き管４１によって送られてきた水を気液熱交換器９１に送る管である。給湯暖房ユニット２によって加熱された水は、入水管４４によって気液熱交換器９１に送られる。出水管４５は、気液熱交換器９１で熱交換された水を戻り管４２に戻す管である。気液熱交換器９１から出水管４５に水が流出し、出水管４５から戻り管４２に水が流出する。
【００２７】
気液熱交換器９１は、例えば、従来公知の温水コイルを備える。気液熱交換器９１は、給湯暖房ユニット２で加熱されて気液熱交換器９１に送られてきた水との熱交換によって、浴室５内に送る空気を加熱する。
【００２８】
循環ファン９４は、気液熱交換器９１に隣接して配置されている。循環ファン９４は、モータ９４ａによって駆動される。循環ファン９４が回転することによって、浴室５内の空気が気液熱交換器９１に送られ、気液熱交換器９１によって加熱された空気が浴室５内に戻される。すなわち、循環ファン９４は、浴室５内の空気を浴室５と気液熱交換器９１との間で循環させる。循環ファン９４と対向する位置には、可変ルーバ９７が配置されている。可変ルーバ９７は、循環ファン９４によって浴室５内に送風される空気の風向を変更する。可変ルーバ９７は、モータ９７ａによって駆動される。
【００２９】
湯温サーミスタ９２は、入水管４４に設けられている。湯温サーミスタ９２は、給湯暖房ユニット２によって加熱された後の水であって気液熱交換器９１で熱交換される前の水の温度を検出する。
【００３０】
浴室暖房機１内には、浴室温サーミスタ９９が配置されている。浴室温サーミスタ９９は、浴室暖房機１内を流れる浴室５内の空気の温度を検出する。
【００３１】
換気ファン９８は、モータ９８ａによって駆動される。浴室暖房機１の乾燥運転モードでは、換気ファン９８が回転することによって、浴室５内の湿った空気を浴室５外に排気し、浴室５内の空気を換気する。なお、浴室暖房機１の暖房運転モードでは、換気ファン９８は作動されない。
【００３２】
また、浴室暖房機１は、浴室暖房機１の運転を制御する暖房機コントローラＣを備えており、浴室５の入口には、浴室暖房機１の運転を操作するリモコンＲが設けられている。図示しないが、リモコンＲは、電源スイッチ、暖房運転スイッチ、乾燥運転スイッチ、タイマスイッチなどを備える。暖房機コントローラＣは、既述した、湯温サーミスタ９２、流量制御弁９３、モータ９４ａ，９７ａ，９８ａ、浴室温サーミスタ９９、リモコンＲや、図示しないガス熱源機ユニット２０１の運転を制御するガスコントローラ、ヒートポンプユニット２０２の運転を制御するヒートポンプコントローラ、貯湯タンクユニット２０３の運転を制御するタンクコントローラと電気配線を介して接続されている。
【００３３】
暖房機コントローラＣは、マイクロコンピュータからなり、メモリに記憶された各種制御プログラムを実行することにより、暖房運転及び乾燥運転を制御する。また、暖房機コントローラＣは、機能的構成手段として、湯温サーミスタ９２からの検出信号に基づき浴室暖房機１に循環供給される水の温度を検出する熱媒体温度検出部、浴室温サーミスタ９９からの検出信号に基づき浴室５内の空気の温度を検出する浴室温度検出部、湯温サーミスタ９２で検出される水の温度や浴室温サーミスタ９９で検出される浴室５内の空気の温度に基づき、循環ファン９４の作動・停止及び回転数を制御する冷風防止制御部、浴室温サーミスタ９９で検出される浴室５内の空気の温度に基づき浴室５内の空気の温度が所定の温調温度に維持されるように循環ファン９４の回転数を制御する温調制御部を備える。また、暖房機コントローラＣのメモリには、各種制御プログラムを実行するための温度や回転数などの各特性値のデータテーブルが格納されている。従って、本実施の形態では、暖房機コントローラＣが暖房制御手段を構成する。
【００３４】
次に、本実施の形態の浴室暖房機１で暖房運転が実行される場合の制御動作について、図２を参照して説明する。なお、図示しないが、浴室暖房機１では、リモコンＲの暖房スイッチがオン操作されて暖房運転が開始されると、ヒートポンプユニット２０２で加熱された低温の水が浴室暖房機１に循環供給される。また、ヒートポンプユニット２０２による加熱によっても、給湯暖房ユニット２内を流れる水の温度が、所定の下限温度以下の低温になると、加熱経路を切り替え、ガス熱源機ユニット２０１で加熱された水が浴室暖房機１に循環供給されるように構成されている。また、浴室暖房機１では、暖房運転中、浴室温サーミスタ９９で検出される浴室５内の空気の温度が、後述する制限解除温度よりも高温の温調温度（例えば、２７℃）以上になると、温調温度が維持されるように、浴室５内の空気の温度に応じて循環ファン９４の回転数を所定の温調用高回転数（例えば、１，１００ｒｐｍの強風）と所定の温調用低回転数（例えば、１，０５０ｒｐｍの中風）との間で切り替えるように構成されている。
【００３５】
リモコンＲの暖房スイッチがオン操作されると、ヒートポンプユニット２０２で加熱された水が浴室暖房機１に循環供給されるように加熱経路が切り替えられ、暖房運転が開始される。暖房運転が開始されると、冷風防止制御プログラムが起動される。この冷風防止制御では、まず、湯温サーミスタ９２で検出される水の温度Ｔｗが所定の始動温度Ｔ１（例えば、４０℃）以上に上昇するまで、循環ファン９４を停止状態で待機させる（ステップＳＴ１）。これにより、気液熱交換器９１の温度が上昇してから、循環ファン９４による送風を開始させることができる。
【００３６】
湯温サーミスタ９２で検出される水の温度Ｔｗが始動温度Ｔ１以上まで上昇すると、循環ファン９４を所定の始動回転数Ｒ１（例えば、１，１００ｒｐｍの強風）で回転させる（ステップＳＴ２）。これにより、気液熱交換器９１での加熱された水との熱交換により空気が加熱され、加熱された空気が浴室５内に戻される。
【００３７】
循環ファン９４を始動回転数Ｒ１で回転させているとき、湯温サーミスタ９２で検出される水の温度Ｔｗが始動温度Ｔ１未満になると（ステップＳＴ３で、Ｙｅｓ）、循環ファン９４の回転数を始動回転数Ｒ１よりも低い所定の制限回転数Ｒ２（例えば，８００ｒｐｍの微風）に低下させる（ステップＳＴ４）。これにより、水の温度Ｔｗが始動温度Ｔ１未満になっても、循環ファン９４で浴室５内の空気が循環される。
【００３８】
なお、制限回転数Ｒ２は、始動回転数Ｒ１より低いだけでなく、温調用低回転数よりも低い回転数に設定することが好ましい。すなわち、暖房運転中の温調制御では、浴室温サーミスタ９９で検出される浴室５内の空気の温度が温調温度まで上昇した後、温調温度が維持されるように循環ファン９４の回転数が制御される。それゆえ、浴室５内の空気の温度を上昇または低下させるために循環ファン９４を高回転数で回転させても、暖房運転開始初期のように冷風感を感じ難い。これに対して、既述したように暖房運転開始初期では浴室５内の空気の温度は低い場合が多いから、冷風感が大きくなる。従って、温調制御における温調用低回転数よりも低い制限回転数Ｒ２で循環ファン９４を回転させることにより、冷風感を抑えつつ、浴室５内の空気を循環させることができる。
【００３９】
循環ファン９４を制限回転数Ｒ２で回転させることにより、水の温度Ｔｗが始動温度Ｔ１まで再度、上昇すると（ステップＳＴ６で、Ｙｅｓ）、循環ファン９４の回転数を始動回転数Ｒ１まで上昇させて、浴室５内の空気を循環させる（ステップＳＴ７）。
【００４０】
このとき、浴室温サーミスタ９９で検出される浴室５内の空気の温度Ｔａが所定の制限解除温度Ｔ３（例えば、２５℃）以上に上昇していなければ（ステップＳＴ８で、Ｎｏ）、上記した制限温度Ｔ２と始動温度Ｔ１とに基づき、循環ファン９４の回転数を制限回転数Ｒ２と始動回転数Ｒ１との間で増減させる（ステップＳＴ３〜ＳＴ７）。
【００４１】
一方、浴室温サーミスタ９９で検出される浴室５内の空気の温度Ｔａが制限解除温度Ｔ３以上になっていれば（ステップＳＴ８で、Ｙｅｓ）、水の温度Ｔｗが始動温度Ｔ１以上であるかどうかのみに基づき、循環ファン９４を始動回転数Ｒ１でオンオフ制御する（ステップＳＴ９〜ＳＴ１２）。すなわち、浴室５内の温度が上昇すれば、循環ファン９４を停止させ、水の温度Ｔｗが再度、始動温度Ｔ１以上になったときに循環ファン９４を始動回転数Ｒ１で回転させても、使用者の冷風感が少ない。また、浴室５内の温度が上昇して水の温度Ｔｗが始動温度Ｔ１未満になったときに循環ファン９４を停止させれば、浴室５内の空気の循環は行われず、気液熱交換器９１での水と浴室５内の空気との間の熱交換は殆ど行われないから水の温度の低下が少ない。従って、より早期に水を再加熱することができる。このため、浴室５内の空気の温度Ｔａが制限解除温度Ｔ３以上で、水の温度Ｔｗが始動温度Ｔ１未満になると、循環ファン９４を停止させ、水の温度Ｔｗが始動温度Ｔ１以上になると、循環ファン９４を始動回転数Ｒ１で回転させる。
【００４２】
循環ファン９４を制限回転数Ｒ２で回転させても湯温サーミスタ９２で検出される水の温度Ｔｗが制限温度Ｔ２未満になる場合（ステップＳＴ５で、Ｎｏ）、浴室５内の空気を緩やかに循環させても熱交換による水の温度Ｔｗの低下が大きく、浴室５内の空気を循環させた状態ではヒートポンプによって水を始動温度Ｔ１まで再加熱するのが難しい。このため、循環ファン９４を停止させて、水の温度Ｔｗが始動温度Ｔ１まで上昇するのを待機する（ステップＳＴ１３及びＳＴ１）。
【００４３】
以上詳細に説明したように、上記浴室暖房機１によれば、低温熱源機であるヒートポンプで加熱された低温の水が循環供給されて暖房運転が開始される場合、循環供給される水の温度が始動温度以上になると循環ファン９４を高回転数の始動回転数で回転させるが、循環ファン９４の回転によって水の温度が始動温度未満になっても、制限温度以上であれば、直ちに循環ファン９４を停止させず、始動回転数より十分に低い制限回転数で循環ファン９４を回転させるから、循環ファン９４の回転によって循環される浴室５内の空気を気液熱交換器９１である程度、加熱することができる。すなわち、冷風防止制御では、始動温度よりも低い制限温度が設定され、水の温度が制限温度以上、始動温度未満であれば、循環ファン９４が始動回転数よりも低い制限回転数で回転される。従って、水の温度が始動温度以上である場合よりも加熱される空気の温度は低下するが、一定の温度まで加熱された空気を浴室５内に継続して循環させることができる。これにより、浴室５内の温度が低いときに、循環ファン９４を長時間、停止させる場合と比べて使用者の違和感が少なく、また冷風感を抑えることができる。
【００４４】
また、上記浴室暖房機１によれば、水の温度が始動温度未満になると、循環ファン９４を制限回転数で回転させるから、浴室５内の空気を一定の風量で循環させることができる。従って、浴室５内の下方に低温の空気が滞留し難い。また、水の温度が始動温度以上に上昇すると制限回転数から始動回転数へ循環ファン９４の回転数を増加させるから、循環ファン９４を停止させた状態から始動回転数に循環ファン９４の回転数を増加させる場合よりも風量の変化が少ない。これにより、循環ファン９４の回転数を始動回転数に変更するときの使用者の冷風感も抑えることができる。
【００４５】
また、上記浴室暖房機１によれば、始動回転数よりも低い制限回転数で循環ファン９４を回転させるから、循環ファン９４を高回転数の始動回転数で回転させている場合よりも、水の温度の低下が少ない。従って、ヒートポンプで加熱された低温の水が循環供給されている場合でも、ヒートポンプで水を効率的に再加熱することができる。
【００４６】
なお、上記実施の形態では、高温熱源機としてガス熱源機が、低温熱源機としてヒートポンプがそれぞれ用いられているが、電気式熱源機などの他の熱源機を用いてもよい。また、上記実施の形態では、１つの制限温度及び１つの制限回転数が設定されているが、これらはそれぞれ複数設定してもよい。
【符号の説明】
【００４７】
１          浴室暖房機
９１        気液熱交換器
９２        湯温サーミスタ
９４        循環ファン
９９        浴室温サーミスタ
２０１      ガス熱源機ユニット
２０２      ヒートポンプユニット
Ｃ          暖房機コントローラ
【図１】
2019128046.tif 000003
【図２】
2019128046.tif 000004